(57)【要約】【課題】分光蛍光光度計の測定対象としては、例えば生体系に属するものであって試料量を多く取ることが困難な試料や、あるいは高価なものであることから微量な試料である場合もあるが、これらの測定が可能である高感度な蛍光測定が可能な蛍光分光光度計を提供する。【解決手段】試料セルとして試験管形細形チューブセル１を用いることにより測定対象試料量を少なくすることができるとともに、前記試験管形細形チューブセル１を用いることによる前記試料セルへの照射励起光の減少を防ぐために、励起光の光路上に集光レンズ３を配置する。【選択図】          図１
0003158603.tif 000002
【実用新案登録請求の範囲】
【請求項１】
励起光を発する光源と、前記励起光を分光する励起側分光器と、測定対象の試料を収容する試料セルと、前記試料が発する蛍光を分光する蛍光側分光器と、前記蛍光側分光器によって分光された蛍光を検出する検出器を備えた分光蛍光光度計において、前記試料セルを試験管形細形チューブセルにて構成するとともに、前記光源から前記試験管形細形チューブセル間の励起光側光軸上に集光レンズを設置したことを特徴とする分光蛍光光度計。
【請求項２】
前記試験管形細形チューブセルを挟んで前記励起光の入射側の反対側に凹面反射鏡を設置するとともに、前記試験管形細形チューブセルを挟んで前記試料から発生する蛍光の出射側の反対側に平面反射鏡を設置したことを特徴とする請求項１記載の分光蛍光光度計。
【考案の詳細な説明】
【技術分野】
【０００１】
本考案は、分光蛍光光度計に係わり、特に、溶液中の微量物質の蛍光測定に好適な分光蛍光光度計に関する。
【背景技術】
【０００２】
一般に分光蛍光光度計は、図７に示すとおり励起光を発生させる光源１０と、光源１０からの光を波長毎に分離する分光器（励起側凹面回折格子）１１と該分光器１１により波長分散された励起光を絞り込む励起側スリット１４と測定対象の試料を収容するセルホルダ２１と前記試料が発する蛍光を波長分散するための分光器（蛍光側凹面回折格子）１２と該分光器１２により波長分散された蛍光を絞り込む蛍光側スリット１５と検出器１３から構成されている。
【０００３】
光源１０から照射された光は励起側凹面回折格子１１により波長分散され励起側スリット１４を通ってセルホルダ２１に挿着された角型キュベットセル１８に照射される。試料から発せられた蛍光は蛍光側凹面回折格子１２により同じく波長分散され蛍光側スリット１５を通過したあと検出器１３により検出される（特許文献１参照）。
【０００４】
図５に一般的な分光蛍光光度計における試料セル周りの構成を示す。液状の試料について蛍光測定を行う場合には、角形キュベットセル１８が用いられることが一般的であり、測定する波長レンジによってガラス製や石英製のものが選択される。
【０００５】
さらに測定に必要な試料量を極力少なくするために、例えば図６に示すとおり、外形寸法はそのままで内積の横幅を狭くした内積縮小型キュベットセル１９、あるいは幅を狭めた短小幅キュベットセル（図示せず）を用いて、測定に必要な励起光が照射される部分以外の試料量を不要とする方法があるが、この場合には励起光がセル内壁に当たって測定データの不安定化を防ぐために励起側スリット２０のスリット幅の小さいものを選択する必要がある。
【０００６】
なお図５において、励起光はセルホルダ２１の励起光通路２２を通り、セルホルダ２１に挿着された角型キュベットセル１８に照射される。試料から発せられた蛍光はセルホルダ２１の蛍光通路９を通り、蛍光側スリット（図示せず）を通過したあと検出器（図示せず）により検出される。なお図６において、図５と同一の符号で示される部品は図５と同一の部品である。
【先行技術文献】
【特許文献】
【０００７】
【特許文献１】特表平８−５００１８３号公報
【考案の概要】
【考案が解決しようとする課題】
【０００８】
分光蛍光光度計の利用分野としては、例えば生体系に属するものであって試料量を多く取ることが困難な場合や、あるいは高価なものであることから蛍光測定用の必要試料量がより少ない蛍光分析装置が求められる。また上記のとおり蛍光測定用の必要試料量を少なくしたために、設定するスリット幅が小さいものに限定されると、蛍光強度自体が小さくなり測定感度が低下する。
【課題を解決するための手段】
【０００９】
本考案は前記課題を解決するために、励起光を発する光源と、前記励起光を分光する励起側分光器と、測定対象の試料を収容する試料セルと、前記試料が発する蛍光を分光する蛍光側分光器と、前記蛍光側分光器によって分光された蛍光を検出する検出器を備えた分光蛍光光度計において、前記試料セルを試験管形細形チューブセルにて構成するとともに、前記光源から前記試験管形細形チューブセル間の励起光側光軸上に集光レンズを設置する。さらに、前記試験管形細形チューブセルを挟んで前記励起光の入射側の反対側に凹面反射鏡を設置するとともに、前記試験管形細形チューブセルを挟んで前記試料から発生する蛍光の出射側の反対側に平面反射鏡を設置してもよい。
【考案の効果】
【００１０】
第一に、前記試料セルとして試験管形細形チューブセルを用いることにより測定対象の試料量を少なくすることができ、セルの幅が狭くなるため設定するスリット幅が小型化される。第二に、蛍光強度自体が小さくなり測定感度が低下する傾向もあるが前記光源から前記試験管形細形チューブセル間の励起光側光軸上に集光レンズを設置することにより測定感度の低下を防止できる。
【００１１】
第三に、前記試験管形細形チューブセルを挟んで前記励起光の入射側の反対側に励起光反射凹面鏡を、および前記試験管形細形チューブセルを挟んで前記試料から発生する蛍光の出射側の反対側に蛍光反射平面鏡を設置することにより、前記励起光反射凹面鏡に前記試験管形細形チューブセルを透過した励起光が反射され再び前記試験管形細形チューブセル内の試料を励起することにより反復励起効果が得られる。
【００１２】
また蛍光は四方八方に放射するので、前記蛍光反射平面鏡方向に出射された蛍光は反射され検出器側に取り込まれ、これらの反射鏡がない状態と比較して蛍光強度増加の効果が得られる。第四に、より微量な試料であっても高感度な蛍光測定が可能である。
【００１３】
第五に、前記試験管形細形チューブセルの内側には角がなくセル内面先端が球面状の構造になっているため、試料が残留し難く、またブラシなどの器具によりセルの洗浄が非常に簡単になり、セルの再使用も可能である。従って試料準備のコストダウンを図ることが可能であり、またオペレータの洗浄工程の不必要な手間も削減することができる。
【図面の簡単な説明】
【００１４】
【図１】本考案実施例１を示す図で、セルホルダの縦断面図である。
【図２】本考案実施例１を示す図で、セルホルダの横断面図である。
【図３】本考案実施例１の分光蛍光光度計の光学レイアウトを示す図である。
【図４】本考案実施例２を示す図で、セルホルダの横断面図である。
【図５】従来の実施例を示す図で、角型キュベットセルを使用したセルホルダの横断面図である。
【図６】従来の実施例を示す図で、内積縮小型キュベットセルを使用したセルホルダの横断面図である。
【図７】従来の分光蛍光光度計の光学レイアウトを示す図である。
【考案を実施するための形態】
【００１５】
試料セルとして、試験管形の細形チューブセルを用いるとともに、前記細形チューブセルを用いることによる前記試料セルへの照射励起光の減少を防ぐために、励起光の光路上に集光レンズを設置する。
【００１６】
図３は分光蛍光光度計の全体の構成を概略的に示す図である。図において光源１０から照射された光は励起側凹面回折格子１１により波長分散され励起側スリット１４を通り集光レンズ３を経てセルホルダ２に挿着された試験管形細形チューブセル１に照射される。試料から発せられた蛍光は蛍光側凹面回折格子１２により同じく波長分散され蛍光側スリット１５を通過したあと検出器１３により検出される。
【実施例１】
【００１７】
図１、図２および図３は具体的な実施例１を示す。図１および図２に示すとおり、試料セルとして試験管形細形チューブセル１を用い、該試験管形細形チューブセル１はチューブセル挿入路４より挿入してセルホルダ２に挿着される。該セルホルダ２は図３に示す本考案に係わる実施例１の分光蛍光光度計の光学レイアウト中に配置される。
【００１８】
励起光は集光レンズ３を経てセルホルダ２の励起光通路５を通り、セルホルダ２に挿着された試験管形細形チューブセル１に照射される。試料から発せられた蛍光はセルホルダ２の蛍光通路６を通り、蛍光側凹面回折格子１２を経て同じく波長分散され蛍光側スリット１５を通過したあと検出器１３により検出される。
【００１９】
試験管形細形チューブセル１を使用するため、従来の幅広の角型キュベットセル１８の試料に対すると同量の励起光を照射することは不可能のため、該励起光を絞って前記試験管形細形チューブセル１に同量の励起光を照射できるように励起光通路５の入口に集光レンズ３を設置する。なお、集光レンズ３としては、球面レンズおよび非球面レンズその他種類を問わない。また、試験管形細形チューブセル１の寸法例として直径２ｍｍまたは３ｍｍのセルがあげられる。
【実施例２】
【００２０】
図４に実施例２を示す。励起光が試験管形細形チューブセル１を透過する側に励起光反射凹面鏡７を設置し、蛍光出射側の反対側にある蛍光通路１６の開口部１７に蛍光反射平面鏡８を設置する。前記励起光反射凹面鏡７の設置によって、前記励起光反射凹面鏡７に前記試験管形細形チューブセル１を透過した励起光が反射され再び前記試験管形細形チューブセル１内の試料を励起することにより反復励起効果が得られる。
【００２１】
また前記蛍光反射平面鏡８の設置によって、蛍光は四方八方に放射し、前記蛍光反射平面鏡８方向に出射された蛍光は反射され検出器側に取り込まれる。従って反射鏡がない状態と比較して蛍光強度を増加させることができる。なお図４において、図２と同一の符号で示される部品は図２と同一の部品である。
【符号の説明】
【００２２】
１  試験管形細形チューブセル
２  セルホルダ
３  集光レンズ
４  チューブセル挿入路
５  励起光通路
６  蛍光通路
７  励起光反射凹面鏡
８  蛍光反射平面鏡
９  蛍光通路
１０  光源
１１  励起側凹面回折格子
１２  蛍光側凹面回折格子
１３  検出器
１４  励起側スリット
１５  蛍光側スリット
１６  蛍光通路
１７  開口部
１８  角型キュベットセル
１９  内積縮小型キュベットセル
２０  励起側スリット
２１  セルホルダ
２２  励起光通路
【図１】
0003158603.tif 000003
【図２】
0003158603.tif 000004
【図３】
0003158603.tif 000005
【図４】
0003158603.tif 000006
【図５】
0003158603.tif 000007
【図６】
0003158603.tif 000008
【図７】
0003158603.tif 000009